(57)【要約】【課題】  主走査方向の画像形成位置の補正を行えるようにする。【解決手段】  画像形成装置１の制御部２は、センサ７（第１の非接触型センサ２１）の出力電圧が予め設定された第１の所定電圧を下回った時点からセンサ８（第２の非接触型センサ２２）の出力電圧が予め設定された第２の所定電圧を下回った時点までの時間を計測し、その計測値から搬送方向と直交する主走査方向に対する記録紙のスライド量を取得する。このとき、上記計測値を搬送方向の距離に換算し、その換算値と予め設定された基準値との差およびセンサ７に対するセンサ８の傾斜角度に基づいて上記スライド量を算出する。上記傾斜角度が４５度であれば、上記計測値を搬送方向の距離に換算し、その換算値と予め設定された基準値との差を上記スライド量として算出する。そして、取得したスライド量に応じて主走査方向の画像形成位置の補正を行う。【選択図】        図１
2010176002.tif 000002
【特許請求の範囲】
【請求項１】
記録媒体を搬送する搬送手段と、該搬送手段によって搬送される前記記録媒体に対して画像形成を行う画像形成手段とを有する画像形成装置であって、
前記記録媒体の搬送経路上に配置された該記録媒体の検出面積に応じた電圧を出力する第１の非接触型センサと、
該第１の非接触型センサに対して所定角度傾斜し、かつ該記録媒体の頂点の通過地点近傍に配置された該記録媒体の検出面積に応じた電圧を出力する第２の非接触型センサと、
前記第１の非接触型センサの出力電圧が予め設定された第１の所定電圧を下回った時点又は上回った時点から前記第２の非接触型センサの出力電圧が予め設定された前記第１の所定電圧とは異なる第２の所定電圧を下回った時点又は上回った時点までの時間を計測し、該計測値から前記搬送方向と直交する主走査方向に対する前記記録媒体のスライド量を取得する計測手段と、
該計測手段によって取得したスライド量に応じて、前記主走査方向の画像形成位置の補正を行う補正手段とを設けたことを特徴とする画像形成装置。
【請求項２】
請求項１に記載の画像形成装置において、
前記計測手段は、前記計測値を前記搬送方向の距離に換算し、該換算値と予め設定された基準値との差および前記所定角度に基づいて前記スライド量を算出することを特徴とする画像形成装置。
【請求項３】
請求項１に記載の画像形成装置において、
前記所定角度は４５度であり、
前記計測手段は、前記計測値を前記搬送方向の距離に換算し、該換算値と予め設定された基準値との差を前記スライド量として算出することを特徴とする画像形成装置。
【請求項４】
請求項１乃至４のいずれか一項に記載の画像形成装置において、
前記計測手段は、前記時間の計測を前記搬送手段によって記録媒体が搬送される毎に行うことを特徴とする画像形成装置。
【請求項５】
請求項１乃至４のいずれか一項に記載の画像形成装置において、
前記計測手段は、ジョブの最初に前記搬送手段によって搬送される記録媒体に対してのみ、前記時間の計測を行うことを特徴とする画像形成装置。
【請求項６】
請求項１乃至５のいずれか一項に記載の画像形成装置において、
前記補正手段は、前記計測手段による前記スライド量の取得毎に、前記主走査方向の画像形成位置の補正を行うことを特徴とする画像形成装置。
【請求項７】
請求項１乃至５のいずれか一項に記載の画像形成装置において、
前記補正手段は、前記計測手段によって取得した前記スライド量の値が予め設定された所定値を超えた場合にのみ、前記主走査方向の画像形成位置の補正を行うことを特徴とする画像形成装置。
【発明の詳細な説明】
【技術分野】
【０００１】
この発明は、デジタル複写機，デジタル複合機，ファクシミリ装置等の各種画像形成装置に関する。
【背景技術】
【０００２】
上記のような画像形成装置では、記録紙に印刷（画像形成）を行うため、その記録紙を搬送（給紙）する際に、その記録紙が搬送方向と直交する主走査方向に対して、左側または右側にスライドして搬送されることが、しばしば発生する。特に、給紙ユニットが本体装置に積層された画像形成装置や、本体装置に両面ユニットがオプション接続された画像形成装置では、記録紙のスライドが顕著に表れる。
【０００３】
これを防止する技術として、給紙ユニット毎に主走査方向の印刷開始タイミングを調整できるようにし、記録紙の所定の印刷開始位置から画像を印刷する技術が既に知られている。
しかし、上記調整には一定の技能が必要になるほか、給紙ユニットの精度によっては、同一の紙サイズ，紙種であっても、１枚毎にスライド量が異なる場合があるため、給紙する度にスライド量に応じて主走査方向の印刷開始タイミングを補正する技術も提案されている（特許文献１参照）。
【０００４】
特許文献１には、記録紙のスライド量に応じて主走査方向の印刷開始タイミングを補正する目的で、接触型の用紙位置ズレ検知センサを用いる手法について述べられている。
この用紙位置ズレ検知センサは、長手方向が記録紙の搬送方向に対して所定角度傾斜して配置された接触部を備え、記録紙が接触部に接触したときにオンになる。レジストセンサは、用紙位置ズレ検知センサに対して上流側に配置されている。ＣＰＵは、記録紙の搬送方向の先端部をレジストセンサによって検出してから用紙位置ズレ検知センサによって検出するまでの時間Ｔを計測して、その計測値Ｔを基に記録紙の主走査方向に対する記録紙のスライド量を計測し、更に主走査方向の画像形成タイミングを補正する。
【発明の概要】
【発明が解決しようとする課題】
【０００５】
しかしながら、特許文献１に記載されているような従来の画像形成装置では、スライド量検出に接触型センサを用い、記録紙と接触させることにより、記録紙の通過時間を計測してスライド量を求めるようにしているため、記録紙と接触させるこの手段では、記録紙にダメージを与えてしまうことが懸念され、最悪の場合には記録紙のダメージによりジャムが発生する可能性があるという問題があった。
【０００６】
この発明は上記の点に鑑みてなされたものであり、記録紙等の記録媒体にダメージを与えることなく、主走査方向に対する記録媒体のスライド量を取得し、主走査方向の画像形成位置（主走査画像形成タイミング）の補正を行えるようにすることを目的とする。
【課題を解決するための手段】
【０００７】
この発明は、記録媒体を搬送する搬送手段と、該搬送手段によって搬送される上記記録媒体に対して画像形成を行う画像形成手段とを有する画像形成装置であって、上記の目的を達成するため、上記記録媒体の搬送経路上に配置された該記録媒体の検出面積に応じた電圧を出力する第１の非接触型センサ（例えばフォトセンサと光源とからなるセンサ）と、該第１の非接触型センサに対して所定角度傾斜し、かつ該記録媒体の頂点の通過地点近傍に配置された該記録媒体の検出面積に応じた電圧を出力する第２の非接触型センサ（例えばフォトセンサと光源とからなるセンサ）と、上記第１の非接触型センサの出力電圧が予め設定された第１の所定電圧を下回った時点又は上回った時点（上記記録媒体の搬送方向の先端部が上記第１の非接触型センサによって検出された時点）から上記第２の非接触型センサの出力電圧が予め設定された上記第１の所定電圧とは異なる第２の所定電圧を下回った時点又は上回った時点までの時間を計測し、該計測値から上記搬送方向と直交する主走査方向に対する上記記録媒体のスライド量を取得する計測手段と、該計測手段によって取得したスライド量に応じて、上記主走査方向の画像形成位置の補正を行う補正手段とを設けたものである。
【０００８】
なお、上記計測手段が、上記計測値を上記搬送方向の距離に換算し、該換算値と予め設定された基準値との差および上記所定角度に基づいて上記スライド量を算出すると良い。あるいは、上記所定角度を４５度とした場合、上記計測手段が、上記計測値を上記搬送方向の距離に換算し、該換算値と予め設定された基準値との差を上記スライド量として算出すればよい。
【０００９】
また、上記計測手段が、上記時間の計測を上記搬送手段によって記録媒体が搬送される毎に行うとよい。あるいは、上記計測手段が、ジョブの最初に上記搬送手段によって搬送される記録媒体に対してのみ、上記時間の計測を行うようにしてもよい。
さらに、上記補正手段が、上記計測手段による上記スライド量の取得毎に、上記主走査方向の画像形成位置の補正を行うとよい。あるいは、上記補正手段が、上記計測手段によって取得した上記スライド量の値が予め設定された所定値を超えた場合にのみ、上記主走査方向の画像形成位置の補正を行うようにしてもよい。
【００１０】
この発明の画像形成装置では、記録媒体の搬送方向の先端部が第１の非接触型センサによって検出されてから第２の非接触型センサによって検出されるまでの時間を計測し、その計測値から上記搬送方向と直交する主走査方向に対する上記記録媒体のスライド量を取得することにより、その取得したスライド量に応じて上記主走査方向の画像形成位置の補正を行う。
【発明の効果】
【００１１】
この発明によれば、記録媒体にダメージを与えることなく、主走査方向に対する記録媒体のスライド量を計測して、主走査方向の画像形成位置の補正を行うことができる。
【図面の簡単な説明】
【００１２】
【図１】この発明を実施する画像形成装置の制御系の構成例を示すブロック図である。
【図２】図２は、図１のセンサ７，８の配置を説明するための図である。
【図３】図２の記録紙Ｐが移送する経過時間とセンサ７，８の出力との関係例を示す説明図である。
【図４】図３のセンサ８がオンになったと判断するための所定電圧Ｖｔｈ＿ｂの決定方法を説明するための図である。
【００１３】
【図５】図３のセンサ８を斜めに配置することの利点を説明するための図である。
【図６】図２の記録紙Ｐが搬送方向（副走査方向）Ｃに進む距離と主走査方向のスライド量との関係を示す説明図である。
【図７】図１のＣＰＵ３によるこの発明に関わる制御の一例を示すフローチャートである。
【図８】図２のセンサ７，８の位置が紙サイズによって変化する様子を示す説明図である。
【発明を実施するための形態】
【００１４】
以下、この発明を実施するための形態を図面に基づいて具体的に説明する。
まず、この発明を実施する画像形成装置の制御系の構成について、図１を参照して説明する。なお、この画像形成装置では、記録紙を使用するが、他の記録媒体を使用することも勿論できる。
【００１５】
図１は、この発明を実施する画像形成装置の制御系の構成例（主走査方向に対する記録紙のスライド量を検出するために必要な構成）を示すブロック図である。
画像形成装置１は、デジタル複写機，デジタル複合機，又はファクシミリ装置等の画像形成装置であり、主走査方向に対する記録紙のスライド量（以下単に「記録紙のスライド量」ともいう）を検出する処理を含む装置全体の制御を行う制御部２と、記録紙を搬送する搬送手段である搬送部６とを備えている。また、図示は省略するが、搬送部６によって搬送される記録紙に対して画像形成を行う画像形成手段である画像形成部も備えている。
【００１６】
制御部２は、ＣＰＵ３，ＲＯＭ４，およびメモリ５を備えている。
搬送部６は、記録紙の搬送経路上のセンサ（以下単に「センサ」ともいう）７と光源９とによって構成された第１の非接触型センサ２１と、用紙位置ズレ検知センサ（以下単に「センサ」ともいう）８と光源１０とによって構成された第２の非接触型センサ２２とを備えている。
センサ７，８は、いずれも記録紙の検出面積に応じた電圧を出力する。
このセンサ７，８にはそれぞれ光源９，１０が配置されているが、記録紙の通過域を挟んでセンサと光源を配置すれば、透過型のフォトセンサとして使用することになり、記録紙の通過域に対して同じ側に配置すれば、反射型のフォトセンサとして使用することになる。
【００１７】
ＣＰＵ３は、ＲＯＭ４内のプログラムを実行することにより、この発明に関わる計測手段および補正手段としての機能を果すことができる。
ＲＯＭ４には、ＣＰＵ３の制御に必要なプログラムが格納されている。このＲＯＭ４としては、固定ＲＯＭやフラッシュＲＯＭ，ＥＥＰＲＯＭ等を用いることができる。
メモリ５には、ＣＰＵ３が記録紙のスライド量を取得するため、基準位置から算出される基準値等の各種情報が記憶されている。このメモリ５は、その各種情報を記憶保持するためのフラッシュＲＯＭ，ＥＥＰＲＯＭ等の不揮発性メモリや、ＣＰＵ３がデータ処理を行ったり画像データを展開する際に使用するＲＡＭ等によって構成されている。
【００１８】
ＣＰＵ３は、センサ７からの信号入力時点（センサ７がオンになった時点）とセンサ８からの信号入力時点（センサ８がオンになった時点）との時間差を図示しないタイマにて計測し、その計測値から上記搬送方向と直交する主走査方向に対する記録紙のスライド量を算出・取得する。また、その取得したスライド量に応じて、主走査方向の画像形成位置（主走査画像形成タイミング）の補正量の計算も行い、主走査画像形成タイミングの補正を行う。
【００１９】
なお、上述した時間計測にはＣＰＵ３内のタイマを使用しても良いし、若しくはカウント機能を持ったＡＳＩＣ（Application Specific Integrated Circuit）に上述した時間計測を行わせても構わない。ＡＳＩＣに、カウント機能，スライド量計測機能，主走査画像形成タイミング補正機能を持たせておくこともできる。そうすれば、一連の処理がハードで行われることとなり、ソフト計算遅延などがなくなり、高速な処理が可能となる。
【００２０】
次に、図１のセンサ７，８の配置についてについて、図２を参照して説明する。
図２は、図１のセンサ７，８の配置を説明するための図である。
この実施形態では、記録紙Ｐの搬送経路上にセンサ７を配置し、そのセンサ７に対して、つまり記録紙Ｐの搬送方向Ｃに直交する主走査方向に対して所定角度傾斜させ、かつ記録紙Ｐの頂点の通過地点近傍に配置する。
【００２１】
センサ７は、レジストセンサと共用させることにより、センサの数を減らすことも可能である。なお、レジストセンサとは、感光体等の像担持体上に形成されたトナー画像を記録紙の所定位置に転写できるように、像担持体に向けて搬送された記録紙の搬送方向の先端（以下単に「先端」ともいう）を検出して、その記録紙を一旦停止させ、最適なタイミングで再搬送させるために必要なセンサのことである。
【００２２】
センサ７，８は、搬送経路の左端に配置しているが、右端に配置するようにしても構わない。また、センサ７，８の位置関係は、そのいずれが搬送経路の上流に配置されても構わないが、図２を含め、以降はセンサ７を上流に配置した場合を説明する。
なお、この実施形態では、紙サイズ毎にセンサ７，８（もちろん光源９，１０）の位置を予め決めておき、画像形成装置１内の図示しない紙サイズ認識部から情報を受ける毎に、所定の位置へ移動するものとする。もしくは、各紙サイズの種類の分だけ、センサ７，８を用意しても構わない。このとき、センサ７は全紙種で通過する領域に配置すれば、センサの数を減らすことが可能である。なお、それらについては、後で図８によって説明する。
【００２３】
次に、図２の記録紙Ｐが移送する経過時間とセンサ７，８の出力との関係について、図３を参照して説明する。
図３は、図２の記録紙Ｐが移送する経過時間とセンサ７，８の出力との関係例を示す説明図である。
【００２４】
センサ７，８の出力電圧（以下単に「出力」ともいう）Ｖａ，Ｖｂは、その種類によってオン（ＯＮ）になったときに“Ｈ（Ｈｉｇｈ）”になるのか“Ｌ（Ｌｏｗ）”になるのかが異なるため、ここではオンになったときに“Ｌ”になるものとして説明している。
記録紙Ｐの先端がセンサ７に到達した時点から、センサ７の出力Ｖａは降下（減少）する。なお、センサ７の後段には、その出力Ｖａが予め設定された第１の所定電圧（以下単に「所定電圧」ともいう）Ｖｔｈ＿ａを下回った時点で、“Ｈ”，“Ｌ”が切り替わるようなコンパレータ回路を用意しておくことが望ましい。
【００２５】
記録紙Ｐの先端がセンサ７を通過した後、センサ８の一部に差し掛かる。この時点からセンサ８の出力Ｖｂが降下を始め、記録紙Ｐの頂点がセンサ８の受光面端に差し掛かる度に出力変化の傾きが変わっていく。なお、センサ８にもまた、その出力Ｖｂが予め設定された第２の所定電圧（以下単に「所定電圧」ともいう）Ｖｔｈ＿ｂを下回った時点で、“Ｈ”，“Ｌ”が切り替わるようなコンパレータ回路を用意しておくことが望ましい。所定電圧Ｖｔｈ＿ｂの決定方法については、図４で説明する。
【００２６】
よって、センサ７が記録紙Ｐの先端を検出してオンになってから、センサ８が記録紙Ｐの頂点を検出してオンになるまでの経過時間ｔ１を計測することにより、記録紙Ｐの主走査方向のスライド量を取得し、主走査画像形成タイミングの補正を行うことができる。
なお、センサ７が記録紙Ｐの先端が到達した時点から、センサ８が記録紙Ｐに差し掛かる時点からそれぞれ出力が上昇するタイプのセンサであった場合、センサ７の出力が第１の所定電圧を、センサ８の出力が第２の所定電圧をそれぞれ上回った時点で、“Ｈ”，“Ｌ”が切り替わるようなコンパレータ回路を用意すればよい。
【００２７】
次に、図３のセンサ８がオンになったと判断するための所定電圧Ｖｔｈ＿ｂの決定方法について、図４を参照して説明する。
図４は、図３のセンサ８がオンになったと判断するための所定電圧Ｖｔｈ＿ｂの決定方法を説明するための図である。
【００２８】
センサ８の長手方向の長さがＬ、短い辺をａとし、主走査方向（センサ７の長手方向）に対して角度θで傾斜していると仮定した場合、長手方向の主走査方向に対する長さはＬ・cosθとなる。このＬ・cosθを、記録紙Ｐの主走査方向のスライド量に対して充分にマージンを持った長さにすれば、センサ８を記録紙Ｐの頂点が通過する際には、必ずセンサ８と記録紙Ｐとの重なる部分が、図４に斜線を施して示す三角形の面積と等しくなる瞬間が存在する。この三角形の面積は、
（ａ／ｓｉｎθ）×（ａ／ｓｉｎ（９０°−θ））／２      ・・・（１）
となる。
【００２９】
センサ８の受光面が式（１）で求めた面積の分だけ記録紙Ｐと重なったときの出力Ｖｂは、個々のセンサの誤差を無視すれば必ず等しくなり、また記録紙Ｐがセンサ８に差し掛かってから式（１）で求めた面積の部分が重なるまでの出力Ｖｂの変化度合いも、センサの個体差を無視すれば等しくなる。
よって、この変化の途中に所定電圧Ｖｔｈ＿ｂを設定すれば、記録紙Ｐが主走査方向のどの位置にスライドしても、記録紙Ｐがセンサ８に差し掛かってから出力Ｖｂが所定電圧Ｖｔｈ＿ｂに達するまでの経過時間ｔ１は、必ず等しくなる。
【００３０】
但し、出力Ｖｂの変化度合いおよび式（１）で求めた面積の部分に重なったときの出力Ｖｂの値は、紙種が変化すれば変わってくることを考慮しなければならない。最低でも、印刷時に外部、例えば装置の図示しない操作部又は図示しないＰＣ（パーソナルコンピュータ）等の外部機器の操作によって設定できる紙種については、それぞれの所定電圧Ｖｔｈ＿ａ，Ｖｔｈ＿ｂを設計段階で決定しておき、装置内のＲＯＭ４又はメモリ５（実際には不揮発性メモリ）に記憶させておく必要がある。
【００３１】
次に、図３のセンサ８を斜めに配置することの利点について、図５，図６を参照して説明する。
図５は図３のセンサ８を斜めに配置することの利点を説明するための図であり、図５の（ａ）は上述したようにセンサ７，８を配置したときに主走査方向の先端側に記録紙Ｐがスライドして搬送された場合、同図の（ｂ）は主走査方向の後端側に記録紙Ｐがスライドして搬送された場合をそれぞれ示している。
図６は、図２の記録紙Ｐが搬送方向（副走査方向）Ｃに進む距離と主走査方向のスライド量との関係を示す説明図である。
【００３２】
図４で示したように、記録紙Ｐの主走査方向に対して所定角度傾けてセンサ８を配置した場合、記録紙Ｐが主走査方向にスライドしても、頂点がセンサ８に差し掛かってから式（１）で求めた面積の部分が重なるまでは一定の時間であり、かつセンサ８の出力変化の度合いも一定となる。
よって、センサ７がオンになってからセンサ８がオンになるまでの経過時間ｔ１を計測すれば、精度良くスライド量が分かることとなる。
【００３３】
記録紙Ｐの線速が１００［ｍｍ／ｓ］、センサ８の傾きがθ、センサ７がオンになってからセンサ８がオンになるまでの経過時間ｔ１の基準値（記録紙Ｐが基準位置を進んだ場合の経過時間）を１［ｍｓ］とした場合を例に挙げてみる。この基準値は、装置内のメモリ５（実際には不揮発性メモリ）又はＲＯＭ４に予め記憶保持（設定）しておくことができる。
ある記録紙Ｐのセンサ７，８間の通過時間ｔ１が２［ｍｓ］だった場合、記録紙Ｐが基準位置を進んだ場合と比べて、時間差が１［ｍｓ］となるので、それを搬送方向（副走査方向）Ｃの距離に換算すると、
１００［ｍｍ／ｓ］×１［ｍｓ］＝０．１［ｍｍ］
だけ長くなる。
【００３４】
これを主走査方向のスライド量（基準位置からのズレ量）に変換すると、図６より、
０．１［ｍｍ］×（ｓｉｎ（９０°−θ）／ｓｉｎθ）
となり、この値を主走査画像形成タイミングに加算することで、主走査画像形成タイミングの補正を行うことが可能となる。このとき、θ＝４５°とすれば、β＝αとなり、上記時間差を換算した距離がそのまま主走査方向のスライド量と考えることができ、計算処理を速くすることが可能となる。
【００３５】
これに対し、図５の（ｃ）はセンサ８の長手方向が主走査方向と平行に配置したときに主走査方向の先端側に記録紙Ｐがスライドして搬送された場合、同図の（ｄ）は主走査方向の後端側に記録紙Ｐがスライドして搬送された場合を示している。
この場合、記録紙Ｐが主走査方向にスライドしたときに差異として現れてくるのは、センサ８の出力値である。但し、この出力値はアナログ量であるため、精度良くスライド量を計測するのには向いていないといえる。
【００３６】
次に、図１のＣＰＵ３によるこの発明に関わる制御について、図７を参照して説明する。
図７は、図１のＣＰＵ３によるこの発明に関わる制御の一例を示すフローチャートである。なお、このフローチャートにおいて、各ステップを「Ｓ」と略記している。
ＣＰＵ３は、図示しない給紙トレイ又は給紙カセットから記録紙の給紙（搬送）を開始した後（Ｓ１）、センサ７がオンになったかどうかをチェックする（Ｓ２）。
【００３７】
そして、センサ７がオンになっていない場合には、引き続きセンサ７がオンになったかどうかをチェックし（Ｓ２）、オンになった時点でタイマをスタートして時間計測を行う（Ｓ３）。
その後、センサ８がオンになったかどうかをチェックし（Ｓ４）、オンになっていなければ引き続きセンサ８がオンになったかどうかをチェックして、オンになった時点でタイマをストップする（Ｓ５）。
【００３８】
その後、タイマによる計測時間を基準値と比較し（Ｓ６）、基準値との差に応じて主走査画像形成タイミング（主走査方向の印刷開始タイミング）を補正する（Ｓ７）。つまり、基準値との差から記録紙Ｐの主走査方向のスライド量を算出・取得して、その取得したスライド量に応じて主走査画像形成タイミングの補正量を計算し、主走査画像形成タイミングを補正する。
【００３９】
なお、基準値は、組み立て工程にて最も主走査画像位置が正しいときの値を設定して装置内のメモリ５（実際には不揮発性メモリ）に記憶保持させておき、必要があれば後にも更新が可能なようにしておくとよい。
タイマによる時間計測および主走査画像形成タイミングの補正を行うタイミングは記録紙Ｐの給紙毎とし、その給紙毎に毎回時間計測を行って記録紙Ｐのスライド量を取得し、その都度、記録紙Ｐに対して画像形成を行う前までに主走査画像形成タイミングの補正量を計算して、記録紙Ｐに形成する最初の１画素の主走査画像形成タイミングに反映させても良い。
【００４０】
もしくは、時間計測は毎回行うが、取得した記録紙Ｐのスライド量の値が予め設定された所定値を超えていない場合（スライド量の所定量以上のズレを検知していない場合）には主走査画像形成タイミングの補正を禁止し、予め設定された所定値を超えた場合（スライド量の所定量以上のズレを検知した場合）にのみ主走査画像形成タイミングの補正を行うようにしても構わない。
【００４１】
また、ジョブの最初に給紙される１枚の記録紙Ｐに対してのみ、時間計測を行ってそのスライド量を取得し、主走査画像形成タイミングの補正量を計算して、同じジョブの間は同じ補正量で主走査画像形成タイミングの補正を行っても良い。
なお、取得した記録紙Ｐのスライド量の値と比較する所定値は、装置の操作部又は外部機器の操作等によって装置内のメモリ５（実際には不揮発性メモリ）又はＲＯＭ４に記憶保持しておくことができる。
【００４２】
次に、複数の紙サイズに対応するセンサ７，８の位置について、図８を参照して説明する。
図８は、図２のセンサ７，８の位置が紙サイズによって変化する様子を示す説明図である。
図８の（ａ）は、主走査方向の中央位置を基準として、各紙サイズの記録紙Ｐ１，Ｐ２が搬送される様子を示している。この例の場合、センサ８（８＿Ａ４，８＿Ａ５）は紙サイズの数だけ用意し）、各記録紙Ｐ１，Ｐ２が通過するポイントに設置しても良いし、センサ８を１個だけ用意し、外部機器の操作等によって紙サイズの変更が指示された場合には、搬送されてくる記録紙の紙サイズに合う場所へ移動させるようにしても良い。
【００４３】
図８の（ｂ）は、主走査端（主走査方向の左端）を基準として、各紙サイズの記録紙Ｐ１′，Ｐ２′の頂点が同じ場所を通過する様子を示す説明図である。この例の場合は、センサ７およびセンサ８ともに主走査端近辺に配置することにより、どちらも１個で機能を果たせるという特徴を持つ。
【００４４】
このように、記録紙の搬送方向の先端部がセンサ７（第１の非接触型センサ）によって検出されてからセンサ８（第２の非接触型センサ）によって検出されるまでの時間を計測し、その計測値から搬送方向と直交する主走査方向に対する記録紙のスライド量を取得し、その取得したスライド量に応じて主走査方向の画像形成位置の補正を行うことにより、記録媒体にダメージを与えることなく、主走査方向に対する記録紙のスライド量を計測して、主走査方向の画像形成位置の補正を確実に行うことができる。
【００４５】
〔この発明に関わるプログラム〕
このプログラムは、画像形成装置を制御するＣＰＵ（コンピュータ）に、この発明に関わる機能である計測手段および補正手段としての機能を実現させるためのプログラムであり、このようなプログラムをＣＰＵに実行させることにより、上述したような効果を得ることができる。
【００４６】
このようなプログラムは、はじめから画像形成装置に備えるＲＯＭ、あるいは不揮発性メモリ（フラッシュＲＯＭ，ＥＥＰＲＯＭ等）、あるいはＨＤＤ（ハードディスク装置）などの記憶手段に格納しておいてもよいが、記録媒体であるＣＤ−ＲＯＭ、あるいはメモリカード，フレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭ等の不揮発性記録媒体（メモリ）に記録して提供することもできる。それらの記録媒体に記録されたプログラムを画像形成装置にインストールしてＣＰＵに実行させるか、ＣＰＵにそれらの記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００４７】
以上の説明から明らかなように、この発明によれば、記録媒体にダメージを与えることなく、主走査方向に対する記録媒体のスライド量を計測して、主走査方向の画像形成位置の補正を行うことができる。この発明を利用すれば、指定された正確な位置に画像が形成された記録媒体を出力できる画像形成装置を提供することができる。
【符号の説明】
【００４８】
１：画像形成装置    ２：制御部    ３：ＣＰＵ    ４：ＲＯＭ    ５：メモリ
６：搬送部    ７，８：センサ    ９，１０：光源    ２１：第１の非接触型センサ
２２：第２の非接触型センサ
【先行技術文献】
【特許文献】
【００４９】
【特許文献１】特開２００７−５２２７１号公報
【図１】
2010176002.tif 000003
【図２】
2010176002.tif 000004
【図３】
2010176002.tif 000005
【図４】
2010176002.tif 000006
【図５】
2010176002.tif 000007
【図６】
2010176002.tif 000008
【図７】
2010176002.tif 000009
【図８】
2010176002.tif 000010